(57)【特許請求の範囲】
【請求項１】
前端に工具を装着可能としたハウジングの後方に、ハンドルを略直角に連設し、前記ハンドル内に接続される電源コードを前記ハンドルの下端中央部から外部へ引き出してなる電動工具であって、
前記ハンドル内の下部で前記電源コードの前方に形成されるスペース内に、前記ハウジングの前方を照射可能な照明体を収容し、前記電源コードに設けられたゴム製のコードガードのフランジによって前記照明体を前記照射姿勢で固定可能としたことを特徴とする電動工具。
【請求項２】
照明体に、後面に電源コードの外形状と合致する凹部を形成した取付台を一体に設けた請求項１に記載の電動工具。
【発明の詳細な説明】
【０００１】
【発明の属する技術分野】
本発明は、前端に工具を装着可能としたハウジングの後方に、ハンドルを略直角に連設し、ハンドル内に接続される電源コードをハンドルの下端中央部から外部へ引き出してなる電動工具に関する。
【０００２】
【従来の技術】
電動工具においては、夜間や暗所等の作業場所でも支障なく作業が行えるように、ハウジングにＬＥＤ（発光ダイオード）等の照明体を備えて加工箇所を照明可能とする照明機能を付与する場合がある。このような照明機能には、例えば実用新案登録第２５１２３２８号公報に開示の如く、電動工具のハンドルの下端へ着脱可能に装着される電源ユニットに照明体を設けて、本体部の前方を照明可能としたものが知られている。
【０００３】
【発明が解決しようとする課題】
上記公報の電動工具は、電源ユニットを利用する充電式であるから、電源ユニットを持たない交流式の電動工具には採用できない。よって、照明体をハンドルへ直接設けざるを得ないが、この場合、照明体がハンドルを把持する手で隠れないようにハンドルを長くする必要が生じ、また、照明体を適正な位置で固定する固定構造をハンドル内に別途設ける必要もあるため、ハウジングの構造が大型化、複雑化してコストアップにも繋がる。
【０００４】
そこで、請求項１に記載の発明は、交流式であっても、ハウジングの大型化や複雑化、コストアップを招くことなく照明機能を好適に付与できる電動工具を提供することを目的としたものである。
【０００５】
【課題を解決するための手段】
上記目的を達成するために、請求項１に記載の発明は、ハンドル内の下部で電源コードの前方に形成されるスペース内に、ハウジングの前方を照射可能な照明体を収容し、電源コードに設けられたゴム製のコードガードのフランジによって照明体を照射姿勢で固定可能としたことを特徴とするものである。
請求項２に記載の発明は、請求項１の目的に加えて、照明体の照射姿勢での固定を簡単且つ確実に行うために、照明体に、後面に電源コードの外形状と合致する凹部を形成した取付台を一体に設けたものである。
【０００６】
【発明の実施の形態】
以下、本発明の実施の形態を図面に基づいて説明する。
図１は、電動工具としての振動ドリルを一部断面で示す全体図で、振動ドリル１は、全体がピストル形状を呈し、図示しない交流モータを内蔵したモータハウジング２の前方（図１の左側）に、回転及び振動機構を内蔵してスピンドル４を前方へ突出させるギヤハウジング３を連結する。５はスピンドル４の先端に固着されるドリルチャックである。また、モータハウジング２の後方には、ハンドル６の前半分となる前ハンドル７が一体に延設されており、この前ハンドル７に後ハンドル８を後方からネジ止めすることで、モータハウジング２と略直角に連設するハンドル６が形成される。このハンドル６内には、スイッチレバー１０を前方に突出付勢したスイッチ９と、変圧器１１とが夫々内蔵され、スイッチ９に電源コード１２が接続されている。電源コード１２は、前ハンドル７内に突設された受座１５へネジ止めされるコードクランプ１６によって固定され、ハンドル６の下端中央部から外部へ引き出され、引き出し部分には保護のためのゴム製のコードガード１３が外装されている。
【０００７】
一方、前ハンドル７の下部には、ハンドル６を把持する際のストッパとなる突出部１７が前方へ突設され、この突出部１７内の左右両側に、前ハンドル７と後ハンドル８をネジ止めするボス２８，２８が前後方向へ形成され、突出部１７の下方には、ハンドル６の吊下用の掛止部２９が形成されている。よって、突出部１７内には、前方へ行くに従って徐々に高くなる傾斜底面を有するスペース１８が形成されるが、このスペース１８に、照明体としてのＬＥＤ２２，２２を備えた取付台１９が収容可能となっている。この取付台１９は、図２に示すように、後面下部に、コードガード１３のフランジ１４の周面に合致する凹部２０を形成し、前面には、リード線２１，２１によって変圧器１１へ接続されるＬＥＤ２２，２２と、そのＬＥＤ２２，２２を覆う透明な合成樹脂製のレンズ２３とが取り付けられている。また、レンズ２３の前端には、突出部１７に形成された透孔２４に嵌合する突起２５が突設されている。
【０００８】
そして、前ハンドル７及び後ハンドル８の下端には、半円状の嵌合部２６，２７が夫々形成されて、嵌合部２６，２７によってコードガード１３におけるフランジ１４の下側位置が挟持される。この挟持状態で、フランジ１４がスペース１８の下方部分に位置して、取付台１９の凹部２０に当接し、取付台１９を、突起２５が透孔２４に嵌合してレンズ２３がスペース１８の傾斜底面に載った図１の傾斜姿勢で固定可能となっている。なお３０は、リード線２１，２１の変圧器１１側への引き回し用に受座１５へ形成されたスリットである。
【０００９】
以上の如く構成された振動ドリル１においては、ハンドル６を組み付ける際は、スイッチ９や変圧器１１等を前ハンドル７に組み付けた後、取付台１９も、上述のようにレンズ２３側を前にして、突起２５が透孔２４に嵌合するように前ハンドル７のスペース１８内へ収容し、電源コード１２を挿通させたコードガード１３を嵌合部２６へセットし、コードクランプ１６によって電源コード１２を固定してから後ハンドル８をネジ止めする。すると、取付台１９はコードガード１３のフランジ１４によって後方側を押され、上述の斜め上を向いた傾斜姿勢（照射姿勢）でスペース１８内に固定されるため、スイッチレバー１０を押し込み操作すると、ＬＥＤ２２，２２が点灯し、その光はレンズ２３を通り、突起２５の前面からドリルチャック５の前方へ向けて照射され、加工箇所を照明することができる。勿論、ハンドル６を把持する手は突出部１７の上方に位置するため、ＬＥＤ２２，２２の光が遮られることはない。
【００１０】
このように上記形態の振動ドリル１によれば、ハンドル６内の下部で電源コード１２の前方に形成されるスペース１８内に、前方を照射可能なＬＥＤ２２，２２を収容し、電源コード１２のコードガード１３によってＬＥＤ２２，２２を照射姿勢で固定可能としたことで、ＬＥＤ２２，２２の収容のためにハンドル６を長くする必要がなくなる。よって、交流式であってもハウジングのコンパクト化が維持可能となる。また、コードガード１３を利用してＬＥＤ２２，２２を固定する合理的な構造であるため、ハンドル６の構造が簡略化し、組付けの際の手間やコストアップを最小限に抑えることができる。さらに、ハンドル６の下部にＬＥＤ２２，２２を位置させているから、ハンドル６を把持する手に邪魔されることもない。加えて、コードガード１３の弾性によって作業時の振動によるＬＥＤ２２，２２のがたつきを防止でき、ＬＥＤ２２，２２の耐久性を向上させることもできる。
そして、ここでは、ＬＥＤ２２，２２を、コードガード１３のフランジ１４の外形状と合致する凹部２０を形成した取付台１９へ一体に取り付けているから、取付台１９を利用してＬＥＤ２２，２２の傾斜姿勢での固定を簡単且つ確実に行うことができる。
【００１１】
なお、上記形態では、ハンドル６に設けられる突出部１７を利用してＬＥＤ２２，２２を収容しているが、このような突出部１７がない場合でも、ハンドル内で電源コードとの間にスペースがあれば、本発明は適用可能である。
【００１２】
その他、照明体は、ＬＥＤに限らず、電球を用いることもできるし、照明体の数も、１又は３以上とすることもできる。また、取付台やスペーサを省略して、電源コードを直接照明体に当接させて固定する等の設計変更も可能である。そして、上記形態では、ハンドルが前後に分割される構造で説明しているが、左右に分割されるタイプであっても、同様に電源コードを照明体の固定に利用する本発明は適用可能である。
【００１３】
【発明の効果】
請求項１に記載の発明によれば、照明体の収容のためにハンドルを長くする必要がなくなり、交流式であってもハウジングのコンパクト化が維持可能となる。また、電源コードのゴム製のコードガードを利用して照明体を固定する合理的な構造であるため、構造が簡略化し、組付けの際の手間やコストアップを最小限に抑えることができる。特に、コードガードの弾性によって作業時の振動による照明体のがたつきを防止でき、照明体の耐久性を向上させることもできる。さらに、ハンドルの下部に照明体を位置させているから、ハンドルを把持する手に邪魔されることもない。
請求項２に記載の発明によれば、請求項１の効果に加えて、照明体に、後面に電源コードの外形状と合致する凹部を形成した取付台を一体に設けたことで、取付台を利用して照明体の照射姿勢での固定を簡単且つ確実に行うことができる。
【図面の簡単な説明】
【図１】  振動ドリルの全体図である。
【図２】  ハンドル下方部の分解斜視図である。
【符号の説明】
１・・振動ドリル、６・・ハンドル、７・・前ハンドル、８・・後ハンドル、１２・・電源コード、１３・・コードガード、１４・・フランジ、１５・・受座、１７・・突出部、１８・・スペース、１９・・取付台、２０・・凹部、２２・・ＬＥＤ、２３・・レンズ。
【図１】
0003892698.tif 000002
【図２】
0003892698.tif 000003